(57)【要約】【課題】測定対象である液体の成分を正確に測定し、かつ、測定装置の大型化を防止する。【解決手段】測定室（１１）を構成する、第１の側壁（１２）及び第２の側壁（１６）間の距離は、下側の壁（１４）及び上側の壁（１５）間の距離よりも長く、第２の側壁（１６）は、第１の側壁（１２）を透過して測定室（１１）に光を入射した光を、測定容器（１０）の下側に配置された受光部（３１）に向けて反射する反射部（１３）を有する。【選択図】図１
2017044499.tif 000002
【特許請求の範囲】
【請求項１】
液体を収容する１つ又は複数の測定室を備えた測定容器と、
１つ又は複数の発光部と、
上記測定容器の下側又は上側に配置され、上記１つ又は複数の発光部が出射した光を受光する受光部とを備えた測定装置であって、
上記測定室は、当該測定室を構成する、互いに対向する第１の側壁及び第２の側壁と、第１の側壁及び第２の側壁に接続され互いに対向する下側の壁及び上側の壁とを備え、
上記第１の側壁及び第２の側壁間の距離は、上記下側の壁及び上側の壁間の距離よりも長く、
上記１つ又は複数の発光部は、当該発光部から出射された光が第１の側壁を透過して上記測定室に入射するように光を出射し、
上記第２の側壁は、上記第１の側壁を透過して上記測定室に入射した光を上記受光部に向けて反射する反射部を有することを特徴とする測定装置。
【請求項２】
上記測定容器は円盤状の形状であり、
上記第１の側壁は、上記第２の側壁よりも上記測定容器の周辺側に配置され、
上記第２の側壁は、上記第１の側壁よりも上記測定容器の中心側に配置されており、
上記１つ又は複数の発光部は、上記第１の側壁を透過させて、上記測定容器の周辺側から中心に向かう方向に光を出射することを特徴とする請求項１に記載の測定装置。
【請求項３】
上記１つ又は複数の測定室は複数の測定室であり、
上記複数の測定室は、上記測定容器の中心に対して円周状に配置されていることを特徴とする請求項２に記載の測定装置。
【請求項４】
上記反射部は、透明体により構成されており、上記第１の側壁を透過して上記測定室に入射した上記光を全反射することを特徴とする請求項１から３の何れか１項に記載の測定装置。
【請求項５】
上記反射部は、表面に金属反射面を備え、上記第１の側壁を透過して上記測定室に入射した上記光を、上記金属反射面により反射することを特徴とする請求項１から４の何れか１項に記載の測定装置。
【請求項６】
上記１つまたは複数の発光部は複数の発光部であり、
上記複数の発光部は、各発光部から出射され、上記反射部で反射された光が上記受光部に収束するような光路を有するように光を出射することを特徴とする請求項１から５の何れか１項に記載の測定装置。
【請求項７】
上記複数の発光部それぞれに対応した固有の回転角度に上記測定容器を回転させることで、上記複数の発光部それぞれの固有の回転角度に、当該複数の発光部毎に上記測定容器を回転させることで、当該複数の発光部それぞれが出射した光を、上記反射部での反射を経て上記受光部に受光させる駆動部を備えることを特徴とする請求項６に記載の測定装置。
【請求項８】
上記複数の発光部それぞれに対応した固有の回転角度において、上記複数の発光部それぞれから出射した光の、上記反射部に対する入射角度が同一であることを特徴とする請求項７に記載の測定装置。
【請求項９】
上記反射部の表面は平面であることを特徴とする請求項７又は８に記載の測定装置。
【請求項１０】
液体を収容する１つ又は複数の測定室を備えた測定容器であって、
上記測定室は、当該測定室を構成する、互いに対向する第１の側壁及び第２の側壁と、第１の側壁及び第２の側壁に接続され互いに対向する下側の壁及び上側の壁とを備え、
上記第１の側壁及び第２の側壁間の距離は、上記下側の壁及び上側の壁間の距離よりも長く、
上記第１の側壁は、１つ又は複数の発光部から出射された光を透過して上記測定室に入射させ、
上記第２の側壁は、上記測定室に入射した上記光を上記下側の壁の下方又は上記上側の壁の上方に配置されている受光部に向けて反射する反射部を有することを特徴とする測定容器。
【発明の詳細な説明】
【技術分野】
【０００１】
本発明は、測定装置及び測定容器に関する。
【背景技術】
【０００２】
農業の分野において、農作物の育成状態の管理のため、農作物の生育環境における土壌成分の分析が広く行われている。
【０００３】
一般的に、土壌分析装置は、土壌から抽出した検査液を、試薬と撹拌する。そして、土壌分析装置は、検査液と試薬とを撹拌して得られる混合液を、発色させ、比色表、比濁表、または、吸光光度法等を用いて数値換算することで土壌成分を測定する。特許文献１に記載された測定装置について説明する。
【０００４】
図１６は、従来の測定装置の構成を表す図である。図１６に示すように、測定装置５００では、被測定液体５０４がセル５０３に収容されている。光源５０１は、中心波長５２４ｎｍのＬＥＤと、中心波長６３２ｎｍのＬＥＤとを備える。
【０００５】
光源５０１が備える中心波長５２４ｎｍのＬＥＤから出射した光５６０は、光導波路５０２を透過して、セル５０３に入射する。光検出手段５０５は、セル５０３及び被測定液体５０４を透過した光５６１の強度を検出し、演算手段は、当該光検出手段５０５の検出結果を演算し、表示手段は演算手段の演算結果を表示する。このように、測定装置５００は、中心波長５２４ｎｍである光５６０の、セル５０３に収容された被測定液体５０４を透過させた光５６１の強度を測定している。
【０００６】
また、光源５０１が備える中心波長６３２ｎｍのＬＥＤから出射した光５７０は、光導波路５０２を透過して、セル５０３に入射する。光検出手段５０５は、セル５０３及び被測定液体５０４を透過した光５７１の強度を検出し、演算手段は、当該光検出手段５０５の検出結果を演算し、表示手段は演算手段の演算結果を表示する。このように、測定装置５００は、中心波長６３２ｎｍである光５７０の、セル５０３に収容された被測定液体５０４を透過させた光５７１の強度を測定している。
【先行技術文献】
【特許文献】
【０００７】
【特許文献１】特許第５５２１１３９号公報（２０１１年３月３１日公開）
【発明の概要】
【発明が解決しようとする課題】
【０００８】
しかしながら、測定装置５００においては、セル５０３は、セル５０３に入射した光５６０・５７０の進行方向に対し垂直方向である上下方向と比べて、当該光５６０・５７０の進行方向である横方向の方が、距離が短いため、当該セル５０３内を通過する光の光路を十分に確保しているとはいえない。このため、セル５０３内を進行する光５６０・５７０が、セル５０３に収容された被測定液体５０４に吸収される量が十分でない場合があり、正確に、セル５０３に収容された被測定液体５０４の成分を測定することができない場合ある。
【０００９】
さらに、測定装置５００においては、セル５０３を介して、光源５０１と、光導波路５０２、及び光検出手段５０５とが直線状に配置されている。このため、光源５０１と、光導波路５０２、及び光検出手段５０５とが並ぶ方向に測定装置が大型化してしまうという課題を生じる。
【００１０】
本発明は、前記の問題点に鑑みてなされたものであり、その目的は、測定対象である液体の成分を正確に測定し、かつ、測定装置の大型化を防止することを実現することにある。
【課題を解決するための手段】
【００１１】
上記の課題を解決するために、本発明の一態様に係る測定装置は、液体を収容する１つ又は複数の測定室を備えた測定容器と、１つ又は複数の発光部と、上記測定容器の下側又は上側に配置され、上記１つ又は複数の発光部が出射した光を受光する受光部とを備えた測定装置であって、上記測定室は、当該測定室を構成する、互いに対向する第１の側壁及び第２の側壁と、第１の側壁及び第２の側壁に接続され互いに対向する下側の壁及び上側の壁とを備え、上記第１の側壁及び第２の側壁間の距離は、上記下側の壁及び上側の壁間の距離よりも長く、上記１つ又は複数の発光部は、当該発光部から出射された光が第１の側壁を透過して上記測定室に入射するように光を出射し、上記第２の側壁は、上記第１の側壁を透過して上記測定室に入射した光を上記受光部に向けて反射する反射部を有することを特徴とする。
【００１２】
上記の課題を解決するために、本発明の一態様に係る測定容器は、液体を収容する１つ又は複数の測定室を備えた測定容器であって、上記測定室は、当該測定室を構成する、互いに対向する第１の側壁及び第２の側壁と、第１の側壁及び第２の側壁に接続され互いに対向する下側の壁及び上側の壁とを備え、上記第１の側壁及び第２の側壁間の距離は、上記下側の壁及び上側の壁間の距離よりも長く、上記第１の側壁は、１つ又は複数の発光部から出射された光を透過して上記測定室に入射させ、上記第２の側壁は、上記測定室に入射した上記光を上記下側の壁の下方又は上記上側の壁の上方に配置されている受光部に向けて反射する反射部を有することを特徴とする。
【発明の効果】
【００１３】
本発明の一態様によれば、測定対象である液体の成分を正確に測定し、かつ、測定装置の大型化を防止することを実現するという効果を奏する。
【図面の簡単な説明】
【００１４】
【図１】本発明の実施形態１に係る測定容器の構成を表す断面図である。
【図２】本発明の実施形態１に係る測定容器の構成を表す斜視図である。
【図３】本発明の実施形態１に係る測定装置の構成を表す図である。
【図４】（ａ）は反射部を有する測定容器の構成を表す断面図であり、（ｂ）は反射部の拡大図である。
【図５】第２の側壁が、金属材料からなる反射部を有する測定容器の構成を表す断面図である。
【図６】（ａ）〜（ｅ）は、本発明の実施形態１に係る測定装置による測定動作を表す図である。
【図７】本発明の実施形態１に対する第１の比較例に係る測定装置の構成を表す図である。
【図８】本発明の実施形態１に対する第２の比較例に係る測定装置の構成を表す図である。
【図９】本発明の実施形態１に対する第３の比較例に係る測定装置の構成を表す図である。
【図１０】（ａ）は、本発明の実施形態２に係る測定装置の構成を表す断面図であり、（ｂ）は（ａ）の測定容器を上方から見た上面図である。
【図１１】本発明の実施形態３に対する比較例に係る測定装置の測定容器を上から見た上面図である。
【図１２】（ａ）は、本発明の実施形態３に係る測定装置を上方から見た上面図であり、（ｂ）は（ａ）の測定容器の断面図である。
【図１３】（ａ）は本発明の実施形態４に対する比較例の測定装置の測定容器の断面図であり、（ｂ）は（ａ）の測定容器を上から見た上面図である。
【図１４】（ａ）は、本発明の実施形態４に係る測定装置の測定容器の断面図であり、（ｂ）は（ａ）の測定容器を上から見た上面図である。
【図１５】（ａ）〜（ｅ）は、本発明の実施形態４に係る測定装置による測定動作を表す図である。
【図１６】従来の測定装置の構成を表す図である。
【発明を実施するための形態】
【００１５】
〔実施形態１〕
以下、本発明の実施の形態について、詳細に説明する。
【００１６】
（測定装置３０の構成）
まず、図３を用いて、本実施形態に係る測定容器１０が配置される測定装置３０の構成について説明する。図３は、測定容器１０を用いた測定装置３０の構成を表す図である。
【００１７】
測定装置３０は、測定容器１０を、回転軸７を中心に回転させることで、測定室１１内に予め収容された試薬と、作業者が注入した土壌抽出液等の液体とを撹拌した混合液を生成するものである。さらに、測定装置３０は、生成した混合液の成分を測定する機能も有する。なお、回転軸７は、仮想的な軸である。
【００１８】
測定装置３０は、測定容器１０と、光源２０と、受光部３１と、テーブル３２と、駆動部３３と、計測部３５と、制御部３６とを備えている。
【００１９】
測定容器１０は、１つ又は複数の測定室１１を備えている。当該測定室１１には、予め試薬が収容されている。また、作業者によって、測定室１１に、土壌抽出液等の測定対象である液体が注入される。そして、測定室１１にて、試薬と、土壌抽出液等の測定対象である液体とが撹拌されて、混合液が生成される。なお、測定容器１０の詳細な説明は後述する。
【００２０】
光源２０は、測定室１１に注入された被測定液体の成分を測定するための光Ｌ２０を、測定室１１に向けて出射する。本実施形態では、光源２０は、複数の発光部２１〜２５を備えている。各発光部２１〜２５は、例えば、ＬＥＤ素子からなる。各発光部２１〜２５は、光Ｌ２０として、それぞれ、ピーク波長が異なる光Ｌ２１〜Ｌ２５を出射する。
【００２１】
ここで、測定用の光として白色光を用いた場合、測定対象である液体による吸収波長以外の成分も含まれており、その平均値として吸収の度合いを計測することになるため、測定精度が出ない場合がある。そこで、ピーク波長が異なる光Ｌ２１〜Ｌ２５を出射する発光部２１〜２５を備えることで、精度よく、測定対象である液体の成分を測定することができる。
【００２２】
また、測定に仕様する波長が数波長程度であれば、白色光を分光して個々の波長を得るよりも、異なる波長の光を出射する複数種類の発光部を組み合わせて光源を構成する方が、波長選択性が高く、コストも安くすることができる。
【００２３】
なお、光源２０は、複数の発光部２１〜２５を有さず、一つの発光部のみを有している構成であってもよい。
【００２４】
光源２０の各発光部２１〜２５は、テーブル３２に載置された測定容器１０の側面に光を出射するように、テーブル３２に載置された測定容器１０の側方に配置されている。
【００２５】
受光部３１は、光源２０から出射され測定室１１に入射した光であって、測定室１１を構成する反射部１３の反射面１３ａにより反射された反射光を受光するものである。受光部３１は、受光した反射光の強度に応じた電気信号を計測部３５へ出力する。受光部３１は、例えば、フォトダイオードからなる。受光部３１はテーブル３２の下方に配置されている。このように、測定装置３０では、光源２０と、テーブル３２に載置された測定容器１０と、受光部３１とは直線状には配置されていない。
【００２６】
テーブル３２は、測定容器１０を載置する。テーブル３２は、駆動部３３の頭頂部に配置されることで駆動部３３によって支持されている。
【００２７】
テーブル３２は、表面に載置された測定容器１０を回転可能に固定する。一例として、テーブル３２の表面には、いわゆるＤカットされた円柱状の回転軸部材と、測定容器１０を固定するためのストッパーおよび爪などが配置されている。測定容器１０の中心部が、テーブル３２の上記回転軸部材に挿入される。上記回転軸部材は回転軸７と同軸に配置される。
【００２８】
テーブル３２には、測定容器１０が表面にセットされた状態で各測定室１１の下方に位置する領域に開口部が形成されている。このテーブル３２の開口部を透過して、光源２０から出射された光であって、反射部１３にて反射された反射光は、受光部３１の受光面へ到達する。
【００２９】
駆動部３３は、制御部３６からの指示により、テーブル３２を回転駆動する。これにより、駆動部３３は、テーブル３２に載置された測定容器１０を、回転軸７を中心に回転駆動する。一例として、駆動部３３は、パルス制御可能なステッピングモーターから構成することができる。
【００３０】
計測部３５は、受光部３１と接続されている。計測部３５は、受光部３１から出力された電気信号を取得し、測定容器１０の測定室１１内に収容されている被測定液体の成分を計測する。一例として、計測部３５は、吸光光度法により被測定液体の成分を計測する。
【００３１】
制御部３６は、光源２０、駆動部３３、及び計測部３５と接続されている。制御部３６は、光源２０、駆動部３３、及び計測部３５それぞれの駆動を制御すると共に、測定装置３０全体の駆動も制御する。
【００３２】
（測定容器１０及び周辺の構成）
次に、図１及び図２を用いて、測定容器１０の構成について説明する。図１は、測定容器１０の構成を表す断面図である。図２は、測定容器１０の構成を表す斜視図である。
【００３３】
図１及び図２に示すように、測定容器１０は、円盤形状を有し、回転軸７を中心に、放射状に複数の測定室１１が配置されている。なお、本実施形態においては、測定容器１０に、６つの測定室１１が、回転軸７を中心として等間隔に配置されている。
【００３４】
図１及び図２に示すように、測定室１１は、当該測定室１１を構成する、互いに対向する第１の側壁１２及び第２の側壁１６と、第１の側壁１２及び第２の側壁１６に接続され互いに対向する下側の壁１４及び上側の壁１５とを備えている。さらに、測定室１１は、第１の側壁１２及び第２の側壁１６を接続する第３の側壁及び第４の側壁を備えている。換言すると、測定室１１は、第１の側壁１２、第２の側壁１６、第３の側壁、第４の側壁、下側の壁１４及び上側の壁１５とによって囲まれた構成である。第３の側壁及び第４の側壁は、隣接する測定室１１同士を仕切る壁としても機能する。
【００３５】
なお、図示しないが、上側の壁１５には、土壌抽出液等、測定対象である液体を、外部から測定室１１内に注入するための開口部及び当該開口部を開閉可能な蓋が設けられている。
【００３６】
第１の側壁１２は、第２の側壁１６よりも測定容器１０の周辺側（外周側）に配置され、第２の側壁１６は、第１の側壁１２よりも測定容器１０の中心側（回転軸７が位置する側、内側）に配置されている。
【００３７】
第１の側壁１２及び第２の側壁１６間の距離（図１の矢印Ａに示す距離）は、下側の壁１４及び上側の壁１５間の距離（図１の矢印Ｂに示す距離）よりも長い。そして、第２の側壁１６は、第１の側壁１２を透過して測定室１１に入射した光Ｌ２０（光Ｌ２１〜Ｌ２５）を受光部３１に向けて反射する反射部１３を有している。第２の側壁１６は、全てが反射部１３として構成されていてもよいし、一部が反射部１３として構成されていてもよい。反射部１３のうち、外側の表面は反射面１３ａとなっている。反射面１３ａは平面である。平面である反射面１３ａが、回転軸７を中心に回転することで、発光部２１〜２５から出射された光Ｌ２１〜Ｌ２５を、受光部３１上の一点に収束させることができる。
【００３８】
なお、反射面１３ａは平面ではなく、例えば、凹面であってもよい。反射面１３ａが凹面である場合、発光部２１〜２５に対応して測定容器１０を回転させなくても、発光部２１〜２５からのが出射した光Ｌ２１〜Ｌ２５を、反射面１３ａで反射させることで、受光部３１上に収束させることができる。
【００３９】
測定容器１０は、シリコーン、ガラス、プラスチック等の透明材で作製されていることが好ましい。特に、測定容器１０は、光学測定のため、また、安価な構成とするため、ポリカーボネートやポリスチレン等、透明性が高い合成樹脂から作製されることが好ましい。
【００４０】
なお、測定容器１０の形状は、円盤形状に限定されるものではなく、円盤状の形状であればよく、例えば、６角柱や８角柱等、厚み（下側の壁１４から上側の壁１５までの距離）が薄い多角柱であってもよい。すなわち、第２の側壁１６に対応する中心側に配置された内側の壁と、第１の側壁１２に対応する周辺側（外側）に配置された壁を備え、当該内側の壁及び外側の壁間である横方向の距離より、内側の壁及び外側の壁に接続された上下方向の壁間の距離の方が短い薄い測定室が、１つ又は複数配置された形状であればよい。
【００４１】
光源２０は、順に並んで配置されている複数の発光部２１〜２５を備えている。発光部２１〜２５は、１つの測定室１１に収容された測定対象である液体の種々の成分を測定するために、赤色光、黄色光、青色光等、それぞれ、異なる色（異なるピーク波長）の光Ｌ２１〜Ｌ２５を出射する。
【００４２】
発光部２１〜２５は、１つの測定室１１を構成する第１の側壁１２の外側に配置されている。これにより、発光部２１〜２５は、当該発光部２１〜２５から出射された光Ｌ２１〜Ｌ２５が第１の側壁１２を透過して測定室１１に入射するように光を出射する。
【００４３】
本実施形態においては、発光部２１〜２５は、第１の側壁１２と対向して配置されている。また、発光部２１〜２５は、測定条件が同じとなるように、回転軸７から等距離に配置されている。
【００４４】
なお、発光部２１〜２５は、第１の側壁１２と対向して配置されていなくても、発光部２１〜２５から出射された光Ｌ２１〜Ｌ２５が、第１の側壁１２を透過して測定室１１に入射するように配置されていればよい。
【００４５】
受光部３１は、受光面が、下側の壁１４と対向するように、測定容器の下側に配置されている。受光部３１は、光源２０（発光部２１〜２５）が出射した光Ｌ２０（Ｌ２１〜Ｌ２５）であって、反射部１３によって反射された光を受光する。
【００４６】
このように、測定装置３０が備える測定容器１０における測定室１１は、測定室１１を構成する、互いに対向する第１の側壁１２及び第２の側壁１６と、第１の側壁１２及び第２の側壁１６に接続され互いに対向する下側の壁１４及び上側の壁１５とを備える。そして、第１の側壁１２及び第２の側壁１６間の距離（図１の矢印Ａに示す距離）は、下側の壁１４及び上側の壁１５間の距離（図１の矢印Ｂに示す距離）よりも長い。そして、測定装置３０における光源２０が備える発光部２１〜２５は、発光部２１〜２５から出射された光Ｌ２１〜Ｌ２５が第１の側壁１２を透過して測定室１１に入射するように光を出射する。
【００４７】
これにより、発光部２１〜２５から出射された光Ｌ２１〜Ｌ２５であって、第１の側壁１２を透過して測定室１１に入射した光Ｌ２１〜Ｌ２５は、測定室１１内のうち、下側の壁１４及び上側の壁１５間の距離よりも長い、第１の側壁１２及び第２の側壁１６間を進行する。このため、測定室１１内へ入射した光Ｌ２１〜Ｌ２５が、下側の壁１４及び上側の壁１５間を進行する場合と比べて、測定室１１内を進行する長さ（すなわち、測定室１１に収容された液体内を進行する光路の長さ）を長くとることができる。このため、測定室１１へ入射した光Ｌ２１〜Ｌ２５を、十分に、測定室１１に収容された液体内を進行させることができるため、より正確に、測定室１１に収容された液体の成分を測定することができる。
【００４８】
加えて、第２の側壁１６は、第１の側壁１２を透過して測定室１１に入射した光Ｌ２１〜Ｌ２５を受光部３１に向けて反射する反射部１３を有する。これにより、発光部２１〜２５が出射した光は反射面１３ａにより受光部３１への方向へ反射される。このため、発光部２１〜２５が出射した光を受光する受光部３１を、測定容器１０の下側に配置する構成とすることができる。これによると、発光部２１〜２５と、受光部３１とは、測定室１１を介して直線状に配置されてはおらず、異なる方向に配置されることになる。つまり、受光部３１は、測定室１１の下方に配置され、発光部２１〜２５は、測定室１１の側方に配置される。
【００４９】
このため、測定室１１のうち、下側の壁１４及び上側の壁１５が並ぶ上下方向より、壁間の距離が長い、第１の側壁１２及び第２の側１６壁が並ぶ横方向への測定装置の大型化を防止することができる。
【００５０】
このように、上記構成によると、測定室１１に収容された液体の成分を正確に測定することができる共に、測定装置の大型化を防止することができる。
【００５１】
また、測定装置３０は、図１６を用いて説明した測定装置５００とは異なり、導波路を用いていないため、装置の製造コストを下げることができ、光量のロス（導波路×距離分の光量のロス、導波路の出力端から出射した光が屈折し拡散してしまう分の光量のロス）を防止することができる。
【００５２】
また、測定容器１０は、円盤状の形状であり、第１の側壁１２は、第２の側壁１６よりも測定容器１０の周辺側（外側）に配置され、第２の側壁１６は、第１の側壁１２よりも測定容器１０の中心側（内側）に配置されている。そして、発光部２１〜２５は、第１の側壁１２を透過させて、測定容器１０の周辺側から中心に向かう方向に光Ｌ２１〜Ｌ２５を出射する。これにより、発光部２１〜２５から出射し、第１の側壁１２を透過し、測定室１１内に入射した光Ｌ２１〜Ｌ２５は、第２の側壁１６へ至る。そして、第２の側壁１６へ至った当該光Ｌ２１〜Ｌ２５は、第２の側壁１６が有する反射部１３の反射面１３ａによって反射され、受光部３１へ入射する。
【００５３】
このように、円盤状の形状である測定容器１０の側方から測定室１１に入射した光Ｌ２１〜Ｌ２５を、測定容器１０の下側に配置された受光部３１に入射させることができる。このため、測定室１１に収容された液体の成分を正確に測定することができる共に、測定容器１０の側方の方向へ測定装置が大型化してしまうことを防止することができる。
【００５４】
また、測定容器１０が備える複数の測定室１１は、測定容器１０の中心に位置する回転軸７に対して円周状に配置されている。これにより、複数の測定室１１に、測定対象である複数種類の液体を収容することができるため、効率よく、測定対象である液体を測定することができる。
【００５５】
ここで、測定室１１に収容された液体の液面には、気泡や浮遊物（ゴミ）など、光を散乱させて測定に悪影響を与えるものが溜まりやすい。
【００５６】
しかし、測定装置３０によると、発光部２１〜２５から出射された光Ｌ２１〜Ｌ２５は、第１の側壁１２を透過して、側方から測定室１１に入射し、測定室１１の液体内を進行し、反射部１３の反射面１３ａによって反射されて、測定室１１の下方へ出射し、受光部３１によって受光される。このため、測定室１１に収容された液体の液面に、気泡や浮遊物（ゴミ）などが溜まっていても、光Ｌ２１〜Ｌ２５は、当該気泡や浮遊物（ゴミ）などに入射しない。このため、測定装置３０によると、測定室１１に収容された液体の成分を正確に測定することができる。
【００５７】
また、測定装置３０は、複数の発光部２１〜２５を備えることが好ましい。これによると、発光部２１〜２５それぞれから、ピーク波長が異なる光を出射することができるため、測定室１１に収容された液体について、複数種類の成分を測定することができる。このため、利便性が高い測定装置を得ることができる。
【００５８】
（反射部の構成）
次に、図４及び図５を用いて反射部の構成について説明する。
【００５９】
図４の（ａ）は反射部１３を有する測定容器１０の構成を表す断面図であり、（ｂ）は反射部１３の拡大図である。一例として、反射部１３を含め、測定容器１０は、ポリカーボネートから構成されているものとする。なお、測定容器１０は、ポリカーボネート以外にも、ポリスチレン、ガラス等の透明体から構成されていればよい。
【００６０】
図４の（ａ）に示すように、発光部２１〜２５から出射された光Ｌ２１〜Ｌ２５は、第１の側壁１２を透過して、測定室１１に収容されている液体内を進行し、反射部１３の反射面１３ａにより反射されて、測定容器１０の下方に配置されている受光部３１に受光される。図４の（ａ）に示すように、反射部１３と、下側の壁１４とが成す角を角度θとすると、角度θを調整することで、反射部１３の反射面１３ａを、光Ｌ２１〜Ｌ２５を全反射するように機能させることができる。
【００６１】
このように、測定容器１０に配置された反射部１３は、透明体により構成されており、第１の側壁１２を透過して測定室１１に入射した光Ｌ２１〜Ｌ２５を全反射する。これにより、発光部２１〜２５から出射された光Ｌ２１〜Ｌ２５は、反射部１３により全反射されて、受光部３１に入射する。このように、反射部１３は、光Ｌ２１〜Ｌ２５を全反射するため、金属材料からなる反射面により反射させる場合と比べて、反射に伴う光量の損失の発生を防止することができる。このため、より正確に、測定対象である測定室１１に収容された液体の成分を測定することができる。
【００６２】
図４の（ｂ）に、図４の（ａ）の領域Ｄとして示す反射部１３の拡大図を示す。ポリカーボネートの屈折率ｎ＝１．５８９とし、測定室１１に収容された液体の例として水の屈折率ｎ＝１．３３３とすると、発光部２１〜２５から出射された光Ｌ２１〜Ｌ２５は、測定室１１に収容された液体内を進行し、液体と反射部１３との境界でまず屈折し、反射部１３の表面である反射面１３ａへの入射角度が小さくなる（すなわち、光が反射面１３ａを透過しやすくなる）。そして、反射面１３ａにて反射された光Ｌ２１〜Ｌ２５は、測定室１１の下方へと出射し、受光部３１に受光される。
【００６３】
このように、反射面１３ａへの入射角度によっては、光Ｌ２１〜Ｌ２５は、反射面１３ａによって反射されず、そのまま、反射面１３ａを透過してしまう場合がある。このため、角度θは、光Ｌ２１〜Ｌ２５を全反射する機能を有するように、角度に制限がある。
【００６４】
例えば、反射部１３をポリカーボネートにより構成した場合、光Ｌ２１〜Ｌ２５が平行光であるとすると、光Ｌ２１〜Ｌ２５を反射面１３ａにより全反射させるには、角度θ＜４１．３９°とする必要がある。
【００６５】
図５は、第２の側壁１６が、金属材料からなる反射部１７を有する測定容器１０の構成を表す断面図である。
【００６６】
図５に示すように、測定容器１０は、第２の側壁１６の表面に配置された、金属反射面１７ａを備える金属材料からなる板状の反射部１７を有する。なお、図５に示す測定容器１０も、ポリカーボネート、ポリスチレン、又はガラス等の透明な材料から構成されているものとする。
【００６７】
反射部１７のうち、第２の側壁１６の表面と接触している面が金属反射面１７ａである。反射部１７は、反射率が高い材料からなり、例えば、アルミニウム、金、又はアルミニウムにＭｇＦ２やＳｉＯを混ぜた金属材料を、第２の側壁１６の表面に、例えば蒸着する等により構成することができる。なお、反射部１７は、蒸着以外にも他のコーティング方法を用いたり、又は、予め用意した反射部１７を第２の側壁１６の表面に貼り付けたりしてもよい。
【００６８】
金属反射面１７ａによると、光Ｌ２１〜Ｌ２５が可視光の波長帯域の光である場合、８５％以上の反射率を確保することができる。
【００６９】
このように、発光部２１〜２５から出射された光Ｌ２１〜Ｌ２５は、第１の側壁１２を透過して、測定室１１に収容されている液体内を進行する。第２の側壁１６の表面に、金属反射面１７ａを備える金属材料からなる板状の反射部１７が配されているため、反射部１７の金属反射面１７ａに到達した光Ｌ２１〜Ｌ２５は、金属反射面１７ａにより全反射されて、測定容器１０の下方に配置されている受光部３１に受光される。図５に示すように、金属反射面１７ａと、下側の壁１４とが成す角度θに依存せず、発光部２１〜２５から出射された光Ｌ２１〜Ｌ２５は金属反射面１７ａにより全反射される。このため、より確実に、測定室１１に収容された液体の成分を測定することができる。また、測定容器１０の形状を種々に変更することができ設計の自由度を高めることができる。
【００７０】
ただし、図４に示した反射部１３により全反射をさせる場合と比べて、図５に示したような金属材料からなる反射部１７により全反射させる場合、反射に起因する光の損失が１５％程度発生することになる。
【００７１】
（測定装置３０による複数の発光部２１〜２５を用いた測定動作）
次に、図６を用いて、測定装置３０による、複数の発光部２１〜２５を用いた、測定容器１０の回転を伴う測定動作について説明する。図６は、測定装置３００による測定動作を表す図であり、（ａ）は、一方の端に配された発光部２１が出射した光Ｌ２１により測定室１１内の液体の成分を測定している様子を表す図であり、（ｂ）は、一方の端から２番目に配された発光部２２が出射した光Ｌ２２により測定室１１内の液体の成分を測定している様子を表す図であり、（ｃ）は、真中に配置された発光部２３が出射した光Ｌ２３により測定室１１内の液体の成分を測定している様子を表す図であり、（ｄ）は、他方の端から２番目に配置された発光部２４が出射した光Ｌ２４により測定室１１内の液体の成分を測定している様子を表す図であり、（ｅ）は、他方の端に配置された発光部２５が出射した光Ｌ２５により測定室１１内の液体の成分を測定している様子を表す図である。
【００７２】
図６に示すように、測定装置３００は順に並んで配置されている５つの発光部２１〜２５を備えている。一方の端に発光部２１が配されており、他方の端に発光部２５が配置されている。
【００７３】
発光部２１〜２５が出射する光Ｌ２１〜Ｌ２５のビームは、径が２ｍｍの平行光であるものとする。発光部２１〜２５は、回転軸７を中心として、７°の間隔で配置されている。受光部３１は、１０ｍｍ×１０ｍｍの受光面を有するものとする。
【００７４】
図６の（ａ）に示すように、制御部３６（図３参照）からの指示により、駆動部３３（図３参照）は、６つの測定室１１のうち、１つの測定室１１の第１の側壁１２が、発光部２１〜２５と対向するように、回転軸７を中心にして測定容器１０を回転させる。さらに、制御部３６（図３参照）からの指示により、駆動部３３（図３参照）は、発光部２１から出射した光Ｌ２１が受光部３１へ受光されるように、発光部２１に対応した固有の回転角度に、測定容器１０を、回転軸７を中心に回転させて、位置を保持する。これにより、駆動部３３は、反射面１３ａを、発光部２１に対応した固有の回転角度となるように調整する。そして、制御部３６（図３参照）からの指示により、発光部２１は光Ｌ２１を出射する。発光部２１から出射された光Ｌ２１は、第１の側壁１２を透過し、測定室１１内に入射すると、測定室１１に収容されている液体を透過し、反射部１３の反射面１３ａへ到達し、当該反射面１３ａにより反射されて、測定室１１の下方へ出射し、受光部３１に受光される。この後、制御部３６（図３参照）からの指示により、計測部３５（図３参照）は、受光部３１から取得した電気信号に基づいて、光Ｌ２１に基づく測定室１１内の液体中の成分を測定する。
【００７５】
次に、図６の（ｂ）に示すように、制御部３６からの指示により、駆動部３３は、測定容器１０を、図６の（ａ）に示した状態から、発光部２２に対応した固有の回転角度である７°回転させることで、反射面１３ａを、発光部２２に対応した固有の回転角度となるよう調整する。
【００７６】
そして、制御部３６（図３参照）からの指示により、発光部２２は光Ｌ２２を出射する。発光部２２から出射された光Ｌ２２は、第１の側壁１２を透過し、測定室１１内に入射すると、測定室１１に収容されている液体を透過し、反射部１３の反射面１３ａへ到達し、当該反射面１３ａにより反射されて、測定室１１の下方へ出射し、受光部３１に受光される。この後、制御部３６（図３参照）からの指示により、計測部３５（図３参照）は、受光部３１から取得した電気信号に基づいて、光Ｌ２２に基づく測定室１１内の液体中の成分を測定する。これにより、光Ｌ２２が測定室１１を通って受光部３１へ至る光路は、光Ｌ２１が測定室１１を通って受光部３１へ至った光路と同一となる。
【００７７】
次に、図６の（ｃ）に示すように、制御部３６からの指示により、駆動部３３は、測定容器１０を、図６の（ｂ）に示した状態から、発光部２３に対応した固有の回転角度である７°回転させることで、反射面１３ａを、発光部２３に対応した固有の回転角度となるよう調整する。
【００７８】
そして、制御部３６（図３参照）からの指示により、発光部２３は光Ｌ２３を出射する。発光部２３から出射された光Ｌ２３は、第１の側壁１２を透過し、測定室１１内に入射すると、測定室１１に収容されている液体を透過し、反射部１３の反射面１３ａへ到達し、当該反射面１３ａにより反射されて、測定室１１の下方へ出射し、受光部３１に受光される。この後、制御部３６（図３参照）からの指示により、計測部３５（図３参照）は、受光部３１から取得した電気信号に基づいて、光Ｌ２３に基づく測定室１１内の液体中の成分を測定する。これにより、光Ｌ２３が測定室１１を通って受光部３１へ至る光路は、光Ｌ２２が測定室１１を通って受光部３１へ至った光路と同一となる。
【００７９】
次に、図６の（ｄ）に示すように、制御部３６からの指示により、駆動部３３は、測定容器１０を、図６の（ｃ）に示した状態から、発光部２４に対応した固有の回転角度である７°回転させることで、反射面１３ａを、発光部２４に対応した固有の回転角度となるよう調整する。
【００８０】
そして、制御部３６（図３参照）からの指示により、発光部２４は光Ｌ２４を出射する。発光部２４から出射された光Ｌ２４は、第１の側壁１２を透過し、測定室１１内に入射すると、測定室１１に収容されている液体を透過し、反射部１３の反射面１３ａへ到達し、当該反射面１３ａにより反射されて、測定室１１の下方へ出射し、受光部３１に受光される。この後、制御部３６（図３参照）からの指示により、計測部３５（図３参照）は、受光部３１から取得した電気信号に基づいて、光Ｌ２４に基づく測定室１１内の液体中の成分を測定する。これにより、光Ｌ２４が測定室１１を通って受光部３１へ至る光路は、光Ｌ２３が測定室１１を通って受光部３１へ至った光路と同一となる。
【００８１】
次に、図６の（ｅ）に示すように、制御部３６からの指示により、駆動部３３は、測定容器１０を、図６の（ｄ）に示した状態から、発光部２４に対応した固有の回転角度である７°回転させることで、反射面１３ａを、発光部２４に対応した固有の回転角度となるよう調整する。
【００８２】
そして、制御部３６（図３参照）からの指示により、発光部２５は光Ｌ２５を出射する。発光部２５から出射された光Ｌ２５は、第１の側壁１２を透過し、測定室１１内に入射すると、測定室１１に収容されている液体を透過し、反射部１３の反射面１３ａへ到達し、当該反射面１３ａにより反射されて、測定室１１の下方へ出射し、受光部３１に受光される。この後、制御部３６（図３参照）からの指示により、計測部３５（図３参照）は、受光部３１から取得した電気信号に基づいて、光Ｌ２５に基づく測定室１１内の液体中の成分を測定する。これにより、光Ｌ２５が測定室１１を通って受光部３１へ至る光路は、光Ｌ２４が測定室１１を通って受光部３１へ至った光路と同一となる。
【００８３】
このように、駆動部３３は、複数の発光部２１〜２５のうち発光する発光部の位置に対応した回転角度で測定容器１０を回転させることで、反射部１３の反射面１３ａの上記発光する発光部に対する傾きを調整する。このため、複数の発光部２１〜２５の位置が異なっていても、測定室１１における光路を同一とすることができる。このように、測定装置３０によると、測定室１１に収容された液体における同じ位置の測定をすることができるため、測定室１１に収容された液体の成分を測定するに当たり、精度よく測定することができる。
【００８４】
（比較例、及び、測定装置３０のさらなる効果）
まず、図７〜図９を用いて、測定装置３０の比較例について説明する。
【００８５】
図７は、第１の比較例に係る測定装置１０１の構成を表す図である。測定装置１０１は、複数の発光部１２１〜１２５を備える光源１２０と、複数の測定室１１１が配置された測定容器１１０と、受光部１３１とを備えている。
【００８６】
測定容器１１０の上方に光源１２０が配置されており、測定容器１１０の下方に受光部１３１が配置されている。換言すると、光源１２０と、測定容器１１０と、受光部１３１とは直線状に配置されている。測定容器１１０は、図示しない駆動部により、回転軸を中心に回転されることで、各測定室１１１に収容された測定対象である液体の成分の測定がなされる。
【００８７】
発光部１２１〜１２５は、直線状に配置されており、測定容器１１０の上面に平行に配置されている。発光部１２１〜１２５それぞれから出射した光Ｌ１２１〜Ｌ１２５は、測定容器１１０の測定室１１１を透過し、測定室１１１の下方へと出射される。しかし、測定装置１０１によると、複数の発光部１２１〜１２５が横並びに配置されているだけなので、互いに配置位置が干渉し、それぞれの光軸がずれている。換言すると、発光部１２１〜１２５それぞれの光路が同一ではなく異なっているため、測定室１１１に収容された液体を透過する位置も異なり、測定箇所が異なるため、測定値にバラつきが生じる。
【００８８】
また、光Ｌ１２１〜Ｌ１２５を全て受光するには、受光面積が大きい受光器を用いる必要があり、測定装置１０１として大型化することになり、製造コストを増大させることになる。
【００８９】
図８は、第２の比較例に係る測定装置２０１の構成を表す図である。測定装置２０１は、複数の発光部２２１〜２２５を備える光源２２０と、複数の測定室１１１が配置された測定容器１１０と、受光部２３１とを備えている。
【００９０】
測定容器１１０の上方に光源２２０が配置されており、測定容器１１０の下方に受光部２３１が配置されている。換言すると、光源２２０と、測定容器１１０と、受光部２３１とは直線状に配置されている。測定容器１１０は、図示しない駆動部により、回転軸を中心に回転されることで、各測定室１１１に収容された測定対象である液体の成分の測定がなされる。
【００９１】
発光部２２１〜２２５は、直線状に配置されており、測定容器１１０の上面に平行に配置されている。
【００９２】
発光部２２１〜２２５は、それぞれの光軸が、受光部２３１の中心を向くように、出射面が傾いて配置されている。このため、発光部２２１〜２２５それぞれから出射した光Ｌ２２１〜Ｌ２２５は、測定容器１１０の測定室１１１を透過し、測定室１１１の下方へと出射されると、概ね、受光部２３１の中心部に収束する。このため、受光部２３１の大型化を防止することはできる。
【００９３】
しかし、測定装置２０１によっても、依然として、発光部２２１〜２２５の光軸がずれている、換言すると、発光部２２１〜２２５それぞれの光路が同一ではなく異なっているため、測定室１１１に収容された液体を透過する位置も異なっており、測定にバラつきが生じる。
【００９４】
さらに、発光部２２１〜２２５のうち、外側に行くほど傾斜角が大きくなる。このため特に、発光部２２１・２２５からの光Ｌ２２１・Ｌ２２５が測定室１１１へ入射する際の反射や、測定室１１１へ入射した光Ｌ２２１・Ｌ２２５が測定室１１１の下方へ出射する際の反射が増大し、光量の損失が増える。このため、正確に測定対象の液体の成分を測定することができない。
【００９５】
図９は、第３の比較例に係る測定装置３０１の構成を表す図である。測定装置３０１は、複数の発光部３２１〜３２５を備える光源３２０と、複数の測定室１１１が配置された測定容器１１０と、受光部３３１と、ハーフミラー３４１〜３４４とを備えている。
【００９６】
測定容器１１０の上方に光源３２０及びハーフミラー３４１〜３４４が配置されており、測定容器１１０の下方に受光部３３１が配置されている。ハーフミラー３４１〜３４４と、測定容器１１０と、受光部２３１とは直線状に配置されている。測定容器１１０は、図示しない駆動部により、回転軸を中心に回転されることで、各測定室１１１に収容された測定対象である液体の成分の測定がなされる。
【００９７】
発光部３２１〜３２５は、測定容器１１０の上面に対し垂直となる方向に直線状に配置されている。
【００９８】
ハーフミラー３４１〜３４４は、発光部３２１〜３２４の出射面と対向するように、測定容器１００の上面に対し垂直となる方向に直線状に配置されている。
【００９９】
発光部３２１〜３２５から出射した光Ｌ３２１〜Ｌ３２４は、ハーフミラー３４１〜３４４により反射され、光軸が同じとなり、測定室１１１を透過して、受光部３３１に受光される。
【０１００】
測定装置３０１によると、光Ｌ３２１〜Ｌ３２４が測定室１１１に収容された液体を透過する位置は、ほぼ同じであるため、測定バラツキを抑えることができ、また、受光部３３１の大型化を防止することはできる。
【０１０１】
しかし、発光部３２１〜３２５の個数分だけハーフミラー３４１〜３４４が必要となるため、測定装置の製造コストが増大することになる。また、ハーフミラー３４１により反射された光Ｌ３２１はハーフミラー３４２〜３４４を透過しており、ハーフミラー３４２により反射された光Ｌ３２２はハーフミラー３４３・３４４を透過しており、ハーフミラー３４３により反射された光Ｌ３２３はハーフミラー３４４を透過しているため、光量の損失が増える。このため、正確に測定対象の液体の成分を測定することができない。また、ハーフミラー３４１〜３４４及び光源３２０を有する光学素子の長さが長くなるため、測定装置３０１は大型化してしまうという問題も生じる。
【０１０２】
次に、本実施形態に係る測定装置３０のさらなる効果について説明する。図６を用いて説明したように、測定装置３０においては、複数の発光部２１〜２５は、各発光部２１〜２５から出射され、反射部１３で反射された光Ｌ２１〜Ｌ２５が受光部３１に収束するような光路を有するように光Ｌ２１〜Ｌ２５を出射する。このため、複数の発光部２１〜２５が配置されていたとしても、各発光部２１〜２５から出射され反射部１３で反射された光Ｌ２１〜Ｌ２５が、受光部３１に入射する際の受光部３１上の位置のバラツキを少なくすることができる。
【０１０３】
このため、図７に示した測定装置１０１及び図８に示した測定装置２０１とは異なり、測定装置３０は、複数の発光部２１〜２５を備えていたとしても、受光部３１のサイズが大型化することを防止することができる。また、複数の発光部２１〜２５を備えていても、受光部３１を複数配する必要はなく、受光部３１は１つで足りる。
【０１０４】
また、図６に示したように、測定装置３０において駆動部３３は、発光部２１〜２５それぞれに対応した固有の回転角度（例えば７°）に、各発光部２１〜２５毎に、順次テーブル３２を回転させることで測定容器１０を回転させる。これによって、駆動部３３は、発光部２１〜２５それぞれが出射した光Ｌ２１〜Ｌ２５を、反射部１３での反射を経て受光部３１に受光させる。
【０１０５】
これによると、図７に示した測定装置１０１及び図８に示した測定装置２０１のような位置が異なる光源毎に当該光源と測定室との相対位置を調整しない測定装置とは異なり、測定装置３０は、各発光部２１〜２５からの受光部３１へ至る光路を同一とすることができる。
【０１０６】
このように、測定装置３０によると、複数の発光部２１〜２５を備えていたとしても、発光部２１〜２５それぞれの光Ｌ２１〜Ｌ２５が測定室１１内を進行する光路が同一であり、受光部３１上の１点に収束させることができる。
【０１０７】
これにより、各発光部２１〜２５毎に測定条件が変わってしまうことを防止することができるため、より正確に、測定対象である上記液体の成分を測定することができる。
【０１０８】
さらに、図９に示した測定装置３０１のようなハーフミラー３４１〜３４４を用いて発光部３２１〜３２４の光軸を合せる構成とは異なり、測定装置３０は、多数のハーフミラーを用いていないため、装置の製造コストが増大することを防止し、かつ、多数のハーフミラーを光が透過することによる光量の低下も防止することができる。
【０１０９】
また、測定装置３０の測定容器１０は、発光部２１〜２５それぞれに対応した固有の回転角度において、発光部２１〜２５それぞれから出射した光Ｌ２１〜Ｌ２５の、反射部１３に対する入射角度が同一であるため、反射部１３によって反射された光Ｌ２１〜Ｌ２５の、受光部３１への入射角度も同一となる。このため、各発光部からの受光部３１へ至る光路を同一とすることができる。これにより、各発光部２１〜２５毎に測定条件が変わってしまうことを防止することができるため、より正確に、測定対象である液体の成分を測定することができる。
【０１１０】
また、反射部１３の表面は平面である。このため、反射部の表面を凹面とし、測定容器を回転させず、複数の光源それぞれから出射した光を、上記凹面により反射して受光部に入射させる構成と比べて、より、各発光部２１〜２５から受光部３１へ至る光路を同一にすることができるため、より正確に、測定対象である上記液体の成分を測定することができる。また、反射部１３の表面を平面とすることで、凹面とする場合と比べて、製造が容易であるため、反射部１３を作製するための歩留り低下を防止することができる。
【０１１１】
〔実施形態２〕
本発明の実施形態２について、図１０に基づいて説明すれば、以下のとおりである。なお、説明の便宜上、実施形態１にて説明した部材と同じ機能を有する部材については、同じ符号を付記し、その説明を省略する。
【０１１２】
図１０は、本発明の実施形態２に係る測定装置３０Ａの構成を表す図であり、（ａ）は測定容器１０Ａの構成を表す断面図であり、（ｂ）は測定容器１０Ａを上方から見た上面図である。図１０に示すように、測定装置３０Ａは、測定装置３０（図３参照）の測定容器１０に換えて測定容器１０Ａを備え、受光部３１が測定容器１０Ａの上方に配置されている点で、測定装置３０と相違する。測定装置３０Ａの他の構成は測定装置３０と同様である。なお、図１０では、測定装置３０Ａのうち、測定容器１０Ａ、光源２０（発光部２１〜２５）及び受光部３１の構成だけを示し、他の構成の図示を省略している。
【０１１３】
このように、測定容器１０Ａの測定室１１Ａは、測定室１１Ａを構成する、互いに対向する第１の側壁１２及び第２の側壁１６Ａと、第１の側壁１２及び第２の側壁１６Ａに接続され互いに対向する下側の壁１４及び上側の壁１５とを備える。第１の側壁１２及び第２の側壁１６Ａ間の距離は、下側の壁１４及び上側の壁１５間の距離よりも長い構成である。そして、発光部２１〜２５（光源２０）は、発光部２１〜２５（光源２０）から出射された光Ｌ２１Ａ〜Ｌ２５Ａ（光Ｌ２０Ａ）が第１の側壁１２を透過して測定室１１Ａに入射するように光Ｌ２１Ａ〜Ｌ２５を出射する。
【０１１４】
これにより、発光部２１〜２５から出射された光Ｌ２１Ａ〜Ｌ２５Ａであって、第１の側壁１２を透過して測定室１１Ａに入射した光Ｌ２１Ａ〜Ｌ２５Ａは、測定室１１Ａ内のうち、下側の壁１４及び上側の壁１５間の距離よりも長い、第１の側壁１２及び第２の側壁１６Ａ間を進行する。このため、測定室１１Ａ内へ入射した光Ｌ２１Ａ〜Ｌ２５Ａが、下側の壁１４及び上側の壁１５間を進行する場合と比べて、測定室１１Ａ内を進行する長さ（すなわち、測定室１１Ａに収容された液体内を進行する光路の長さ）を長くとることができる。このため、測定室１１Ａへ入射した光Ｌ２１Ａ〜Ｌ２５Ａを、十分に、測定室１１Ａに収容された液体内を進行させることができるため、より正確に、測定室１１Ａに収容された液体の成分を測定することができる。
【０１１５】
加えて、第２の側壁１６Ａは、第１の側壁１２を透過して測定室１１Ａに入射した光Ｌ２１Ａ〜Ｌ２５Ａを受光部３１に向けて反射する反射部１３Ａを有する。これにより、発光部２１〜２５が出射した光Ｌ２１Ａ〜Ｌ２５Ａを受光する受光部３１を、測定容器１０Ａの上側に配置する構成とすることができる。これによると、発光部２１〜２５と、受光部３１とは、測定室１１Ａを介して直線状に配置されてはおらず、異なる方向に配置されることになる。つまり、受光部３１は、測定室１１Ａの上方に配置され、発光部２１〜２５は、測定室１１Ａの側方に配置される。
【０１１６】
このため、測定室１１Ａのうち、下側の壁１４及び上側の壁１５が並ぶ上下方向より、壁間の距離が長い、第１の側壁１２及び第２の側壁１６Ａが並ぶ横方向への測定装置の大型化を防止することができる。
【０１１７】
以上のように、上記構成によると、測定室１１Ａに収容された液体の成分を正確に測定することができる共に、測定装置３０Ａの大型化を防止することができる。
【０１１８】
ここで、測定室１１Ａの底には沈殿物等、光を散乱させて測定に悪影響を与えるものが溜まりやすい。
【０１１９】
しかし、測定装置３０Ａによると、発光部２１〜２５から出射された光Ｌ２１Ａ〜Ｌ２５Ａは、第１の側壁１２を透過して、側方から測定室１１に入射し、測定室１１の液体内を進行し、反射部１３の反射面１３ａによって反射されて、測定室１１の上方へ出射し、受光部３１によって受光される。このため、測定室１１Ａの底に沈殿物等が溜まっていても、光Ｌ２１Ａ〜Ｌ２５Ａは、当該沈殿物などに入射しない。このため、測定装置３０Ａによると、測定室１１Ａに収容された液体の成分を正確に測定することができる。
【０１２０】
〔実施形態３〕
本発明の実施形態３について、図１１及び図１２に基づいて説明すれば、以下のとおりである。なお、説明の便宜上、実施形態１、２にて説明した部材と同じ機能を有する部材については、同じ符号を付記し、その説明を省略する。
【０１２１】
まず、図１１を用いて、実施形態３の比較例に係る測定装置１５１の構成について説明する。図１１は、実施形態３の比較例に係る測定装置の測定容器を上から見た上面図である。
【０１２２】
図１１に示す測定装置１５１は、測定装置３０のうち、測定容器１０の第１の側壁１２と、発光部２１〜２５との間に、レンズ４１〜４５を配置した構成である。レンズ４１は発光部２１と第１の側壁１２との間に配置され、レンズ４２は発光部２２と第１の側壁１２との間に配置され、レンズ４３は発光部２３と第１の側壁１２との間に配置され、レンズ４４は発光部２４と第１の側壁１２との間に配置され、レンズ４５は発光部２５と第１の側壁１２との間に配置されている。
【０１２３】
発光部２１〜２５として、ＬＥＤ等、平行光を出射する発光素子を用いる場合、レンズ等により集光してから、測定室１１に入射させることが好ましい。この場合、図１１に示す測定装置１５１のように、各発光部２１〜２５毎に対応するレンズ４１〜４５を配置すると、機構的にレンズ４１〜４５が干渉してしまい、狭い領域にレンズ４１〜４５を配置することができない。このため、測定装置１５１は大型化してしまう。
【０１２４】
図１２は本発明の実施形態３に係る測定装置３０Ｂの構成を表す図であり、（ａ）は測定容器１０Ｂを上方から見た上面図であり、（ｂ）は測定容器１０Ｂの断面図である。図１２に示すように、実施形態３に係る測定装置３０Ｂは、測定装置３０（図３参照）の測定容器１０に換えて測定容器１０Ｂを備えている点で、測定装置３０と相違する。測定装置３０Ｂの他の構成は測定装置３０と同様である。なお、図１１では、測定装置３０Ｂのうち、測定容器１０Ｂ、光源２０（発光部２１〜２５）及び受光部３１の構成だけを示し、他の構成の図示を省略している。
【０１２５】
図１２に示すように、測定容器１０Ｂは、複数の測定室１１Ｂを備えている。そして、測定室１１Ｂを構成する、互いに対向する第１の側壁１２Ｂ及び第２の側壁１６とのうち、反射部１３を有する第２の側壁１６よりも測定容器１０の周辺側に配置された第１の側壁１２Ｂの外側面に、当該外側面から突出する凸形状のレンズ部１８が配置されている。
【０１２６】
発光部２１〜２５（光源２０）から出射された光Ｌ２１Ｂ〜Ｌ２５Ｂ（光Ｌ２０Ｂ）は、レンズ部１８へ入射することで集光されてから、第１の側壁１２Ｂを透過して測定室１１Ｂに入射し、反射部１３の反射面１３ａにより反射されて、受光部３１に受光される。
【０１２７】
このように、測定容器１０Ｂによると、各測定室１１Ｂを構成する第１の側壁１２Ｂの外側面に凸形状のレンズ部１８が配置されているため、各発光部２１〜２５毎にレンズを設ける必要がなく、測定装置３０Ｂの大型化を防止することができる。また、測定装置３０Ｂの製造コストが増大することも防止することができる。
【０１２８】
〔実施形態４〕
本発明の実施形態４について、図１３〜図１５に基づいて説明すれば、以下のとおりである。なお、説明の便宜上、実施形態１〜３にて説明した部材と同じ機能を有する部材については、同じ符号を付記し、その説明を省略する。
【０１２９】
まず、図１３を用いて、実施形態４の比較例に係る測定装置１６１の構成について説明する。図１３の（ａ）は実施形態４の比較例に係る測定装置１６１の測定容器１０の断面図であり、（ｂ）は（ａ）の測定容器１０を上から見た上面図である。
【０１３０】
図１３の（ａ）に示すように、測定装置１６１では、測定容器１０の下方に配置された受光部３１は、中心が、回転軸７からずれている。このため、図１３の（ｂ）に示すように、駆動部３３が各発光部２１〜２５毎に測定容器１０を、回転軸７を中心に回転させても、各発光部２１〜２５から発光された光Ｌ２１〜Ｌ２５であって反射部１３の反射面１３ａで反射された光の集光点Ｐ０は、各光Ｌ２１〜Ｌ２５毎に、多少、バラつくことになる。
【０１３１】
図１４の（ａ）は実施形態４に係る測定装置３０Ｃの測定容器１０Ｃの断面図であり、（ｂ）は（ａ）の測定容器１０Ｃを上から見た上面図である。
【０１３２】
図１４の（ａ）に示すように、測定装置３０Ｃでは、測定容器１０Ｃの下方に配置された受光部３１は、中心が、回転軸７上となるように配置されている。
【０１３３】
また、測定容器１０Ｃは複数の測定室１１Ｃを備え、測定室１１Ｃを構成する第２の側壁１６Ｃが有する反射部１３Ｃと、下側の壁１４とが成す角度θと、下側の壁１４と受光部３１との距離Ｚとが調整されることで、発光部２１〜２５（光源２０）から出射した光Ｌ２１Ｃ〜Ｌ２５Ｃの集光点がバラつかない構成となっている。これにより、図１４の（ｂ）に示すように、発光部２１〜２５から出射した光Ｌ２１〜Ｌ２５であって、反射部１３の反射面１３ａで反射された光の集光点Ｐは、各光Ｌ２１Ｃ〜Ｌ２５Ｃ毎にバラつかず、一点に収束されている。
【０１３４】
図１５は、測定装置３０Ｃによる測定動作を表す図であり、（ａ）は、一方の端に配された発光部２１が出射した光Ｌ２１Ｃにより測定室１１内の液体の成分を測定している様子を表す図であり、（ｂ）は、一方の端から２番目に配された発光部２２が出射した光Ｌ２２Ｃにより測定室１１内の液体の成分を測定している様子を表す図であり、（ｃ）は、真中に配置された発光部２３が出射した光Ｌ２３Ｃにより測定室１１内の液体の成分を測定している様子を表す図であり、（ｄ）は、他方の端から２番目に配置された発光部２４が出射した光Ｌ２４Ｃにより測定室１１内の液体の成分を測定している様子を表す図であり、（ｅ）は、他方の端に配置された発光部２５が出射した光Ｌ２５Ｃにより測定室１１内の液体の成分を測定している様子を表す図である。
【０１３５】
発光部２１〜２５が出射する光Ｌ２１Ｃ〜Ｌ２５Ｃのビームは、径が２ｍｍの平行光であるものとする。発光部２１〜２５は、回転軸７を中心として、７°の間隔で配置されている。受光部３１は、１０ｍｍ×１０ｍｍの受光面を有するものとする。
【０１３６】
図１５の（ａ）に示すように、制御部３６（図３参照）からの指示により、駆動部３３（図３参照）は、発光部２１から出射した光Ｌ２１Ｃが受光部３１へ受光されるように、発光部２１に対応した固有の回転角度に、測定容器１０Ｃを、回転軸７を中心に回転させて、位置を保持する。これにより、駆動部３３は、反射面１３ａＣを、発光部２１に対応した固有の回転角度となるように調整する。そして、制御部３６（図３参照）からの指示により、発光部２１は光Ｌ２１Ｃを出射する。発光部２１から出射された光Ｌ２１Ｃは、第１の側壁１２を透過し、測定室１１Ｃ内に入射すると、測定室１１Ｃに収容されている液体を透過し、反射部１３Ｃの反射面１３ａＣへ到達し、当該反射面１３ａＣにより反射されて、測定室１１の下方へ出射し、受光部３１のうち回転軸７の延長線上の中心部に受光される。この後、制御部３６（図３参照）からの指示により、計測部３５（図３参照）は、受光部３１から取得した電気信号に基づいて、光Ｌ２１に基づく測定室１１内の液体中の成分を測定する。
【０１３７】
次に、図１５の（ｂ）に示すように、制御部３６からの指示により、駆動部３３は、測定容器１０Ｃを、図１５の（ａ）に示した状態から、発光部２２に対応した固有の回転角度である７°回転させることで、反射面１３ａＣを、発光部２２に対応した固有の回転角度となるよう調整する。
【０１３８】
そして、制御部３６（図３参照）からの指示により、発光部２２は光Ｌ２２Ｃを出射する。発光部２２から出射された光Ｌ２２Ｃは、第１の側壁１２を透過し、測定室１１Ｃ内に入射すると、測定室１１Ｃに収容されている液体を透過し、反射部１３Ｃの反射面１３ａＣへ到達し、当該反射面１３ａＣにより反射されて、測定室１１Ｃの下方へ出射し、受光部３１のうち回転軸７の延長線上の中心部に受光される。この後、制御部３６（図３参照）からの指示により、計測部３５（図３参照）は、受光部３１から取得した電気信号に基づいて、光Ｌ２２に基づく測定室１１内の液体中の成分を測定する。これにより、光Ｌ２２Ｃが測定室１１を通って受光部３１へ至る光路は、光Ｌ２１Ｃが測定室１１を通って受光部３１へ至った光路と同一となる。また、光Ｌ２２Ｃは、光Ｌ２１Ｃと同様に、受光部３１のうち、回転軸７の延長線上の中心部に入射する。
【０１３９】
次に、図１５の（ｃ）に示すように、制御部３６からの指示により、駆動部３３は、測定容器１０Ｃを、図１５の（ｂ）に示した状態から、発光部２３に対応した固有の回転角度である７°回転させることで、反射面１３ａＣを、発光部２３に対応した固有の回転角度となるよう調整する。
【０１４０】
そして、制御部３６（図３参照）からの指示により、発光部２３は光Ｌ２３Ｃを出射する。発光部２３から出射された光Ｌ２３Ｃは、第１の側壁１２を透過し、測定室１１Ｃ内に入射すると、測定室１１Ｃに収容されている液体を透過し、反射部１３Ｃの反射面１３ａＣへ到達し、当該反射面１３ａＣにより反射されて、測定室１１Ｃの下方へ出射し、受光部３１のうち回転軸７の延長線上の中心部に受光される。この後、制御部３６（図３参照）からの指示により、計測部３５（図３参照）は、受光部３１から取得した電気信号に基づいて、光Ｌ２３に基づく測定室１１内の液体中の成分を測定する。これにより、光Ｌ２３Ｃが測定室１１を通って受光部３１へ至る光路は、光Ｌ２２Ｃが測定室１１を通って受光部３１へ至った光路と同一となる。また、光Ｌ２３Ｃは、光Ｌ２２Ｃと同様に、受光部３１のうち、回転軸７の延長線上の中心部に入射する。
【０１４１】
次に、図１５の（ｄ）に示すように、制御部３６からの指示により、駆動部３３は、測定容器１０Ｃを、図１５の（ｃ）に示した状態から、発光部２４に対応した固有の回転角度である７°回転させることで、反射面１３ａＣを、発光部２４に対応した固有の回転角度となるよう調整する。
【０１４２】
そして、制御部３６（図３参照）からの指示により、発光部２４は光Ｌ２４Ｃを出射する。発光部２４から出射された光Ｌ２４Ｃは、第１の側壁１２を透過し、測定室１１Ｃ内に入射すると、測定室１１Ｃに収容されている液体を透過し、反射部１３Ｃの反射面１３ａＣへ到達し、当該反射面１３ａＣにより反射されて、測定室１１Ｃの下方へ出射し、受光部３１のうち回転軸７の延長線上の中心部に受光される。この後、制御部３６（図３参照）からの指示により、計測部３５（図３参照）は、受光部３１から取得した電気信号に基づいて、光Ｌ２４に基づく測定室１１内の液体中の成分を測定する。これにより、光Ｌ２４Ｃが測定室１１を通って受光部３１へ至る光路は、光Ｌ２３Ｃが測定室１１を通って受光部３１へ至った光路と同一となる。また、光Ｌ２４Ｃは、光Ｌ２３Ｃと同様に、受光部３１のうち、回転軸７の延長線上の中心部に入射する。
【０１４３】
次に、図１５の（ｅ）に示すように、制御部３６からの指示により、駆動部３３は、測定容器１０Ｃを、図１５の（ｄ）に示した状態から、発光部２５に対応した固有の回転角度である７°回転させることで、反射面１３ａＣを、発光部２５に対応した固有の回転角度となるよう調整する。
【０１４４】
そして、制御部３６（図３参照）からの指示により、発光部２５は光Ｌ２５Ｃを出射する。発光部２５から出射された光Ｌ２５Ｃは、第１の側壁１２を透過し、測定室１１Ｃ内に入射すると、測定室１１Ｃに収容されている液体を透過し、反射部１３Ｃの反射面１３ａＣへ到達し、当該反射面１３ａＣにより反射されて、測定室１１Ｃの下方へ出射し、受光部３１のうち回転軸７の延長線上の中心部に受光される。この後、制御部３６（図３参照）からの指示により、計測部３５（図３参照）は、受光部３１から取得した電気信号に基づいて、光Ｌ２５に基づく測定室１１内の液体中の成分を測定する。これにより、光Ｌ２５Ｃが測定室１１を通って受光部３１へ至る光路は、光Ｌ２４Ｃが測定室１１を通って受光部３１へ至った光路と同一となる。また、光Ｌ２５Ｃは、光Ｌ２４Ｃと同様に、受光部３１のうち、回転軸７の延長線上の中心部に入射する。
【０１４５】
このように、発光部２１〜２５から出射した光Ｌ２１Ｃ〜Ｌ２５Ｃであって、反射部１３の反射面１３ａで反射された光Ｌ２１〜Ｌ２５は、受光部３１上の受光位置がバラつかず、一点に収束される。このように、測定装置３０Ｃは、発光部２１〜２５から出射された光Ｌ２１Ｃ〜Ｌ２５Ｃの受光部３１への入射位置精度が高い。
【０１４６】
これによると、より受光部３１の面積を小さくすることができ、測定装置３０Ｃを小型化することができる。
【０１４７】
〔まとめ〕
本発明の態様１に係る測定装置３０・３０Ａ〜３０Ｃは、液体を収容する１つ又は複数の測定室１１・１１Ａ〜１１Ｃを備えた測定容器１０・１０Ａ〜１０Ｃと、１つ又は複数の発光部２１〜２５と、上記測定容器１０・１０Ａ〜１０Ｃの下側又は上側に配置され、上記１つ又は複数の発光部２１〜２５が出射した光Ｌ２１〜Ｌ２５・Ｌ２１Ａ〜Ｌ２５Ａ・Ｌ２１Ｂ〜Ｌ２５Ｂ・Ｌ２１Ｃ〜Ｌ２５Ｃを受光する受光部３１とを備えた測定装置３０・３０Ａ〜３０Ｃであって、上記測定室１１・１１Ａ〜１１Ｃは、当該測定室１１・１１Ａ〜１１Ｃを構成する、互いに対向する第１の側壁１２・１２Ｂ及び第２の側壁１６と、第１の側壁１２・１２Ｂ及び第２の側壁１６に接続され互いに対向する下側の壁１４及び上側の壁１５とを備え、上記第１の側壁１２・１２Ｂ及び第２の側壁１６間の距離は、上記下側の壁及び上側の壁間の距離よりも長く、上記１つ又は複数の発光部２１〜２５は、当該発光部２１〜２５から出射された光Ｌ２１〜Ｌ２５・Ｌ２１Ａ〜Ｌ２５Ａ・Ｌ２１Ｂ〜Ｌ２５Ｂ・Ｌ２１Ｃ〜Ｌ２５Ｃが第１の側壁１２・１２Ｂを透過して上記測定室１１・１１Ａ〜１１Ｃに入射するように光Ｌ２１〜Ｌ２５・Ｌ２１Ａ〜Ｌ２５Ａ・Ｌ２１Ｂ〜Ｌ２５Ｂ・Ｌ２１Ｃ〜Ｌ２５Ｃを出射し、上記第２の側壁１６は、上記第１の側壁１２・１２Ｂを透過して上記測定室１１・１１Ａ〜１１Ｃに入射した光Ｌ２１〜Ｌ２５・Ｌ２１Ａ〜Ｌ２５Ａ・Ｌ２１Ｂ〜Ｌ２５Ｂ・Ｌ２１Ｃ〜Ｌ２５Ｃを上記受光部３１に向けて反射する反射部１３・１３Ａ・１３Ｃ・１７を有する。
【０１４８】
上記構成によると、上記測定室は、当該測定室を構成する、互いに対向する第１の側壁及び第２の側壁と、第１の側壁及び第２の側壁に接続され互いに対向する下側の壁及び上側の壁とを備え、上記第１の側壁及び第２の側壁間の距離は、上記下側の壁及び上側の壁間の距離よりも長い構成である。そして、上記１つ又は複数の発光部は、当該発光部から出射された光が第１の側壁を透過して上記測定室に入射するように光を出射する。
【０１４９】
これにより、上記１つ又は複数の発光部から出射された光であって、上記第１の側壁を透過して上記測定室に入射した光は、上記測定室内のうち、上記下側の壁及び上側の壁間の距離よりも長い、上記第１の側壁及び第２の側壁間を進行する。このため、測定室内へ入射した光が、上記下側の壁及び上側の壁間を進行する場合と比べて、測定室内を進行する長さ（すなわち、測定室に収容された液体内を進行する光路の長さ）を長くとることができる。このため、測定室へ入射した光を、十分に、測定室に収容された液体内を進行させることができるため、より正確に、測定室に収容された液体の成分を測定することができる。
【０１５０】
加えて、上記第２の側壁は、上記第１の側壁を透過して上記測定室に入射した光を上記受光部に向けて反射する反射部を有する。これにより、上記１つ又は複数の発光部が出射した光を受光する受光部を、上記測定容器の下側又は上側に配置する構成とすることができる。これによると、上記１つ又は複数の発光部と、上記受光部とは、上記測定室を介して直線状に配置されてはおらず、異なる方向に配置されることになる。
【０１５１】
このため、上記測定室のうち、上記下側の壁及び上側の壁が並ぶ上下方向より、壁間の距離が長い、上記第１の側壁及び第２の側壁が並ぶ横方向への装置の大型化を防止することができる。
【０１５２】
以上のように、上記構成によると、測定室に収容された液体の成分を正確に測定することができる共に、装置の大型化を防止することができる。
【０１５３】
本発明の態様２に係る測定装置３０・３０Ａ〜３０Ｃは、上記態様１において、上記測定容器１０・１０Ａ〜１０Ｃと、１つ又は複数の発光部２１〜２５と、上記測定容器１０・１０Ａ〜１０Ｃの下側又は円盤状の形状であり、上記第１の側壁１２・１２Ｂは、上記第２の側壁１６よりも上記測定容器１０・１０Ａ〜１０Ｃの周辺側に配置され、上記第２の側壁１６は、上記第１の側壁１２・１２Ｂよりも上記測定容器１０・１０Ａ〜１０Ｃの中心側に配置されており、上記１つ又は複数の発光部２１〜２５は、上記第１の側壁１２・１２Ｂを透過させて、上記測定容器１０・１０Ａ〜１０Ｃの周辺側から中心に向かう方向に光Ｌ２１〜Ｌ２５・Ｌ２１Ａ〜Ｌ２５Ａ・Ｌ２１Ｂ〜Ｌ２５Ｂ・Ｌ２１Ｃ〜Ｌ２５Ｃを出射することが好ましい。
【０１５４】
上記構成によると、円盤状の形状である上記測定容器において、上記第１の側壁は、上記第２の側壁よりも上記測定容器の周辺側に配置され、上記第２の側壁は、上記第１の側壁よりも上記測定容器の中心側に配置されている。そして、上記１つ又は複数の発光部は、上記第１の側壁を透過させて、上記測定容器の周辺側から中心に向かう方向に光を出射する。これにより、上記１つ又は複数の発光部から出射し、上記第１の側壁を透過し、測定室内に入射した光は、上記第２の側壁へ至る。そして、上記第２の側壁へ至った当該光は、上記第２の側壁が有する上記反射部によって反射され、上記受光部へ入射する。
【０１５５】
このように、円盤状の形状である上記測定容器の側方から上記測定室に入射した光を、上記測定容器の下側又は上側に配置された上記受光部に入射させることができる。このため、測定室に収容された液体の成分を正確に測定することができる共に、上記測定容器の側方の方向へ装置が大型化してしまうことを防止することができる。
【０１５６】
本発明の態様３に係る測定装置３０・３０Ａ〜３０Ｃは、上記態様２において、上記１つ又は複数の測定室１１・１１Ａ〜１１Ｃは複数の測定室１１・１１Ａ〜１１Ｃであり、上記複数の測定室１１・１１Ａ〜１１Ｃは、上記測定容器１０・１０Ａ〜１０Ｃの中心に対して円周状に配置されていることが好ましい。上記構成によると、複数の測定室に、測定対象である複数種類の上記液体を収容することができるため、効率よく、測定対象である上記液体を測定することができる。
【０１５７】
本発明の態様４に係る測定装置３０・３０Ａ〜３０Ｃは、上記態様１〜３において、上記反射部１３は、透明体により構成されており、上記第１の側壁１２・１２Ｂを透過して上記測定室１１・１１Ａ〜１１Ｃに入射した上記光Ｌ２１〜Ｌ２５・Ｌ２１Ａ〜Ｌ２５Ａ・Ｌ２１Ｂ〜Ｌ２５Ｂ・Ｌ２１Ｃ〜Ｌ２５Ｃを全反射することが好ましい。
【０１５８】
上記構成によると、上記１つ又は複数の発光部から出射された光は、上記反射部により全反射されて、上記受光部に入射する。このように、上記反射部は、上記光を全反射するため、反射に伴う光量の損失が発生することを防止することができる。このため、より正確に、測定対象である上記液体の成分を測定することができる。
【０１５９】
本発明の態様５に係る測定装置３０・３０Ａ〜３０Ｃは、上記態様１〜４において、上記反射部１７は、表面に金属反射面１７ａを備え、上記第１の側壁１２・１２Ｂを透過して上記測定室１１・１１Ａ〜１１Ｃに入射した上記光Ｌ２１〜Ｌ２５・Ｌ２１Ａ〜Ｌ２５Ａ・Ｌ２１Ｂ〜Ｌ２５Ｂ・Ｌ２１Ｃ〜Ｌ２５Ｃを、上記金属反射面１７ａにより反射することが好ましい。上記構成によると、上記１つ又は複数の発光部から出射された光は、上記金属反射面により全反射されて、上記受光部に入射する。このように、上記反射部は、上記金属反射面により上記光を上記受光部に反射するため、上記１つ又は複数の発光部から出射された光の上記金属反射面への入射角度に依存せず、当該光を上記受光部に全反射することができる。これによると、より確実に、測定対象である上記液体の成分を測定することができる。
【０１６０】
本発明の態様６に係る測定装置３０・３０Ａ〜３０Ｃは、上記態様１〜５において、上記１つまたは複数の発光部は複数の発光部２１〜２５であり、上記複数の発光部２１〜２５は、各発光部２１〜２５から出射され、上記反射部１３・１３Ａ・１３Ｃ・１７で反射された光Ｌ２１〜Ｌ２５・Ｌ２１Ａ〜Ｌ２５Ａ・Ｌ２１Ｂ〜Ｌ２５Ｂ・Ｌ２１Ｃ〜Ｌ２５Ｃが上記受光部３１に収束するような光路を有するように光を出射することが好ましい。
【０１６１】
上記構成によると、上記複数の発光部それぞれから、ピーク波長が異なる光を出射することができるため、上記測定室に収容された上記液体について、複数種類の成分を測定することができる。このため、利便性が高い測定装置を得ることができる。加えて、上記複数の発光部は、各発光部から出射され、上記反射部で反射された光が上記受光部に収束するような光路を有するように光を出射する。このため、複数の発光部から出射され上記反射部で反射された光が、上記受光部に入射する際の上記受光部上の位置のバラツキを少なくすることができる。このため、複数の発光部を備えていたとしても、上記受光部のサイズが大型化することを防止することができる。
【０１６２】
本発明の態様７に係る測定装置３０・３０Ａ〜３０Ｃは、上記態様６において、上記複数の発光部２１〜２５それぞれに対応した固有の回転角度に上記測定容器１０・１０Ａ〜１０Ｃを回転させることで、上記複数の発光部２１〜２５それぞれの固有の回転角度に、当該複数の発光部２１〜２５毎に上記測定容器１０・１０Ａ〜１０Ｃを回転させることで、当該複数の発光部２１〜２５それぞれが出射した光Ｌ２１〜Ｌ２５・Ｌ２１Ａ〜Ｌ２５Ａ・Ｌ２１Ｂ〜Ｌ２５Ｂ・Ｌ２１Ｃ〜Ｌ２５Ｃを、上記反射部１３・１３Ａ・１３Ｃ・１７での反射を経て上記受光部３１に受光させる駆動部３３を備えることが好ましい。
【０１６３】
上記構成によると、上記駆動部は、上記複数の発光部それぞれに対応した固有の回転角度に上記測定容器を回転させることで、上記複数の発光部それぞれの固有の回転角度に、当該複数の発光部毎に上記測定容器を回転させる。これによって、上記駆動部は、上記複数の発光部それぞれが出射した光を、上記反射部での反射を経て上記受光部に受光させる。
【０１６４】
これによると、位置が異なる光源毎に当該光源と測定室との相対位置を調整しない測定装置と比べて、各光源からの上記受光部へ至る光路を同一とすることができる。これにより、各光源毎に測定条件が変わってしまうことを防止することができるため、より正確に、測定対象である上記液体の成分を測定することができる。
【０１６５】
本発明の態様８に係る測定装置３０・３０Ａ〜３０Ｃは、上記態様７において、上記複数の発光部２１〜２５それぞれに対応した固有の回転角度において、上記複数の発光部２１〜２５それぞれから出射した光Ｌ２１〜Ｌ２５・Ｌ２１Ａ〜Ｌ２５Ａ・Ｌ２１Ｂ〜Ｌ２５Ｂ・Ｌ２１Ｃ〜Ｌ２５Ｃの、上記反射部１３・１７に対する入射角度が同一であることが好ましい。
【０１６６】
上記構成によると、上記複数の発光部それぞれに対応した固有の回転角度において、上記複数の発光部それぞれから出射した光の、上記反射部に対する入射角度が同一であるため、当該反射部によって反射された光の、上記受光部への入射角度も同一となる。このため、各発光部からの上記受光部へ至る光路を同一とすることができる。これにより、各発光部毎に測定条件が変わってしまうことを防止することができるため、より正確に、測定対象である上記液体の成分を測定することができる。
【０１６７】
本発明の態様９に係る測定装置３０・３０Ａ〜３０Ｃは、上記態様７又は８において、上記反射部１３・１７の表面は平面であることが好ましい。上記構成によると、上記測定容器を回転させず、複数の光源それぞれから出射した光を、例えば、凹面を有する反射部により反射して受光部に入射させる構成と比べて、より、各光源から受光部へ至る光路を同一にすることができるため、より正確に、測定対象である上記液体の成分を測定することができる。また、上記反射部の表面を平面とすることで、凹面とする場合と比べて、製造が容易であるため、上記反射部を作製するための歩留り低下を防止することができる。
【０１６８】
本発明の態様１０に係る測定容器１０・１０Ａ〜１０Ｃは、液体を収容する１つ又は複数の測定室１１・１１Ａ〜１１Ｃを備えた測定容器１０・１０Ａ〜１０Ｃであって、上記測定室１１・１１Ａ〜１１Ｃは、当該測定室１１・１１Ａ〜１１Ｃを構成する、互いに対向する第１の側壁１２・１２Ｂ及び第２の側壁１６と、第１の側壁１２・１２Ｂ及び第２の側壁１６に接続され互いに対向する下側の壁１４及び上側の壁１５とを備え、上記第１の側壁１２・１２Ｂ及び第２の側壁１６間の距離は、上記下側の壁１４及び上側の壁１５間の距離よりも長く、上記第１の側壁１２・１２Ｂは、１つ又は複数の発光部２１〜２５から出射された光Ｌ２１〜Ｌ２５・Ｌ２１Ａ〜Ｌ２５Ａ・Ｌ２１Ｂ〜Ｌ２５Ｂ・Ｌ２１Ｃ〜Ｌ２５Ｃを透過して上記測定室１１・１１Ａ〜１１Ｃに入射させ、上記第２の側壁１６は、上記測定室１１・１１Ａ〜１１Ｃに入射した上記光Ｌ２１〜Ｌ２５・Ｌ２１Ａ〜Ｌ２５Ａ・Ｌ２１Ｂ〜Ｌ２５Ｂ・Ｌ２１Ｃ〜Ｌ２５Ｃを上記下側の壁１４の下方又は上記上側の壁１５の上方に配置されている受光部３１に向けて反射する反射部１３・１３Ａ・１３Ｃ・１７を有することを特徴とする。
【０１６９】
上記構成によると、上記測定室は、当該測定室を構成する、互いに対向する第１の側壁及び第２の側壁と、第１の側壁及び第２の側壁に接続され互いに対向する下側の壁及び上側の壁とを備え、上記第１の側壁及び第２の側壁間の距離は、上記下側の壁及び上側の壁間の距離よりも長い構成である。そして、上記第１の側壁は、１つ又は複数の発光部から出射された光を透過して上記測定室に入射させる。
【０１７０】
これにより、上記１つ又は複数の発光部から出射された光であって、上記第１の側壁を透過して上記測定室に入射した光は、上記測定室内のうち、上記下側の壁及び上側の壁間の距離よりも長い、上記第１の側壁及び第２の側壁間を進行する。このため、測定室内へ入射した光が、上記下側の壁及び上側の壁間を進行する場合と比べて、測定室内を進行する長さ（すなわち、測定室に収容された液体内を進行する光路の長さ）を長くとることができる。このため、測定室へ入射した光を、十分に、測定室に収容された液体内を進行させることができるため、より正確に、測定室に収容された液体の成分を測定することができる。
【０１７１】
加えて、上記第２の側壁は、上記第１の側壁を透過して上記測定室に入射した光を上記受光部に向けて反射する反射部を有する。これにより、上記１つ又は複数の発光部が出射した光を受光する受光部を、上記測定容器の下側又は上側に配置することができる。これによると、上記１つ又は複数の発光部と、上記受光部とは、上記測定室を介して直線状に配置されてはおらず、異なる方向に配置されることになる。
【０１７２】
このため、上記測定室のうち、上記下側の壁及び上側の壁が並ぶ上下方向より、壁間の距離が長い、上記第１の側壁及び第２の側壁が並ぶ横方向へ、測定容器を用いた測定装置が大型化することを防止することができる測定容器を得ることができる。
【０１７３】
以上のように、上記構成によると、測定室に収容された液体の成分を正確に測定することができる共に、測定装置の大型化を防止することができる測定容器を得ることができる。
【０１７４】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【符号の説明】
【０１７５】
３０、３０Ａ、３０Ｂ、３０Ｃ  測定装置
１０、１０Ａ〜１０Ｃ  測定容器
７  回転軸
１１、１１Ａ〜１１Ｃ  測定室
１２、１２Ｂ  第１の側壁
１３、１３Ａ、１３Ｃ、１７  反射部
１３ａ、１３ａＣ  反射面
１６、１６Ａ、１６Ｃ  第２の側壁
１７ａ  金属反射面
１８  レンズ部
２０  光源
２１〜２５、２１Ａ〜２５Ａ、  発光部
Ｌ２０〜Ｌ２５、Ｌ２０Ｂ〜Ｌ２５Ｂ、Ｌ２０Ｃ〜Ｌ２５Ｃ  光
３１  受光部
３２  テーブル
３３  駆動部
３５  計測部
３６  制御部
４１〜４５  レンズ
【図１】
2017044499.tif 000003
【図２】
2017044499.tif 000004
【図３】
2017044499.tif 000005
【図４】
2017044499.tif 000006
【図５】
2017044499.tif 000007
【図６】
2017044499.tif 000008
【図７】
2017044499.tif 000009
【図８】
2017044499.tif 000010
【図９】
2017044499.tif 000011
【図１０】
2017044499.tif 000012
【図１１】
2017044499.tif 000013
【図１２】
2017044499.tif 000014
【図１３】
2017044499.tif 000015
【図１４】
2017044499.tif 000016
【図１５】
2017044499.tif 000017
【図１６】
2017044499.tif 000018